(57)【特許請求の範囲】
【請求項１】
使用時に履物の内側に敷かれ、この履物の内側のつま先側に配置される先端部、および踵側に配置される後端部から構成されたインソールにおいて、
前記先端部の先端縁に形成された切れ目によって、前記履物の鼻緒が通される装着経路が形成され、
前記切れ目が、前記先端部の先端縁から、前記鼻緒が接触する終端にかけて形成された第一切れ目と、この第一切れ目の前記終端と交差して前記先端縁に向けて凸弧状に湾曲して形成された第二切れ目とから構成され、
前記切れ目によって形成された展開片が展開されることにより前記装着経路が拡大され、閉塞されることにより前記装着経路が閉塞される、
ことを特徴とするインソール。
【請求項２】
請求項１に記載されたインソールが幅方向に複数連ねられ、前記先端部と前記後端部とが互いに逆さまである、
ことを特徴とするインソールセット。
【発明の詳細な説明】
【技術分野】
【０００１】
本発明は、例えば下駄や草履などの履物の中に敷いて用いられるインソールおよびインソールセットに関するものである。
【背景技術】
【０００２】
従来、例えば下駄や草履などの履物の中に敷いて用いられるインソールは、用途に応じて様々なものが提案されている。特に、例えば屋内の公共施設や宿泊施設など、不特定多数の利用者が訪れる施設で用いられる履物は、衛生と利便の観点から容易に交換することができる使い捨てのインソールが用いられる。このようなインソールとして、下記特許文献１に記載の中敷シートが提案されている。この中敷シートは形状がスリッパのソールに倣って形成されている。
【先行技術文献】
【特許文献】
【０００３】
【特許文献１】特開２００２−３６０３０８号公報
【発明の概要】
【発明が解決しようとする課題】
【０００４】
しかし、上記したとおり中敷シートは形状がスリッパのソールに倣って形成されているため、例えば下駄や草履など、鼻緒がついている履物には適していない。
【０００５】
本発明は、上記の実情に鑑みて提案されたものである。すなわち、鼻緒がついた履物の内側に敷くことができるインソールおよびインソールセットの提供を目的とする。
【課題を解決するための手段】
【０００６】
上記目的を達成するために、本発明に係るインソールは、使用時に履物の内側に敷かれ、この履物の内側のつま先側に配置される先端部、および踵側に配置される後端部から構成されたインソールにおいて、前記先端部の先端縁に形成された切れ目によって、前記履物の鼻緒が通される装着経路が形成された、ことを特徴としている。
【０００７】
本発明に係るインソールは、前記切れ目が、前記先端部の先端縁から、前記鼻緒が接触する終端にかけて形成された第一切れ目と、この第一切れ目の前記終端と交差して形成された第二切れ目とから構成され、前記切れ目によって形成された展開片が展開されることにより前記装着経路が拡大され、閉塞されることにより前記装着経路が閉塞される、ことを特徴としている。
【０００８】
本発明に係るインソールは、前記第二切れ目が前記先端縁に向けて凸弧状に湾曲した、ことを特徴としている。
【０００９】
本発明に係るインソールセットは、請求項１から請求項３に記載されたインソールが幅方向に複数連ねられ、前記先端部と前記後端部とが互いに逆さまである、ことを特徴としている。
【発明の効果】
【００１０】
本発明に係るインソールは上記した構成である。この構成によれば、インソールが履物の内側に敷かれる際、先端縁から装着経路に鼻緒が通される。したがって、鼻緒がついた履物の内側に敷くことができる。
【００１１】
本発明に係るインソールは、切れ目が、先端部の先端縁から、鼻緒が接触する終端にかけて形成された第一切れ目と、この第一切れ目の終端と交差して形成された第二切れ目とから構成され、切れ目によって形成された展開片が展開されることにより装着経路が拡大され、閉塞されることにより装着経路が閉塞される。したがって、インソールを履物に敷きやすくすることができる。また、インソールを敷いた後は閉塞した展開片により着用者の足の裏と履物の内側との接触が絶たれて衛生を保障することができる。
【００１２】
本発明に係るインソールセットは、第二切れ目が先端縁に向けて凸弧状に湾曲している。この構成により、展開片の終端側が丸みを帯びるため、展開片が着用者の足の指の間に接触する際、負担が掛り難い。したがって、着用者が快適に使用することができる。
【００１３】
本発明に係るインソールセットは、インソールが幅方向に複数連ねられ、先端部と後端部とが互いに逆さまである。この構成によれば、着用者が必要とする枚数のインソールを一度に摘み上げることができる。したがって、利便性を良くすることができる。
【図面の簡単な説明】
【００１４】
【図１】本発明の実施形態に係るインソールセットの表面図である。
【図２】本発明の実施形態に係るインソールセットの外観を示し、（ａ）が裏面図、（ｂ）が側面図である。
【図３】本発明の実施形態に係るインソールを履物の内側に敷く際の外観を示した外観斜視図である。
【図４】本発明の実施形態に係るインソールを履物の内側に敷く際の過程が示され、（ａ）がインソールを敷く前に装着経路が展開された状態を説明する説明図、（ｂ）がインソールが敷かれて装着経路が閉塞された状態を説明する説明図である。
【図５】本発明の実施形態に係るインソールセットが収納された収納体の外観を示した外観斜視図である。
【発明を実施するための形態】
【００１５】
以下に、本発明の実施形態を図面に基づいて説明する。
【００１６】
図１において、本実施形態に係るインソール１０は一対のインソールセット１００の片方であり、片方の履物としての草履３のインソールに相当する部分（以下、「インソール部７」と記す。）の形状、または草履３を着用した着用者（図示省略）の足の裏の形状が平面的に模られてシート状に形成されている（図３参照）。インソールセット１００は、二枚のインソール１０が幅方向に連ねられ、それぞれ上下が逆さまである。各インソール１０は境界に形成されたミシン目で使用時に切り離される。インソール１０に用いられる素材は、例えばライナー紙、不織布などである。なお、履物は草履３や下駄など、鼻緒８が付いたもの（図３参照）の他、スリッパやサンダルなど鼻緒８が付いていないものであってもよい。
【００１７】
図１および図３において、インソール１０は、先端部１１、中央部１２、および後端部１３から構成されている。先端部１１は草履３のインソール部７のつま先側４の形状（または着用者の足の裏のうち、つま先側の形状）が平面的に模られている。後端部１３は草履３のインソール部７の踵側５の形状（または着用者の足の裏のうち、踵側の形状）が平面的に模られている。中央部１２は草履３のインソール部７の中央６の形状（または着用者の足の裏のうち、土踏まず近傍の形状）が平面的に模られ、先端部１１と後端部１３とがそれぞれ前後に連ねられている。
【００１８】
インソール１０は、草履３の内側に敷かれ、裏面が草履３のインソール部７と接触し、表面が着用者の足の裏と接触する。インソール１０は先端部１１が草履３のインソール部７のつま先側４に配置され、後端部１３が踵側５に配置され、中央部１２が中央６に配置される。
【００１９】
図１および図４において、先端部１１は、先端縁３１に形成された切れ目によって、草履３の鼻緒８が通される装着経路３０が形成されている。切れ目は第一切れ目３３と第二切れ目３４とから形成されている。第一切れ目３３は、先端縁３１から鼻緒８が接触する終端３２に掛けて一筋に形成されている。第二切れ目３４は先端縁３１に向けて凸弧状に湾曲して形成され、第一切れ目３３の終端３２と交差している。第一切れ目３３と第二切れ目３４とから一対の展開片３５が先端部１１に形成され、展開片３５が展開することで装着経路３０が拡大される。第一切れ目３３および第二切れ目３４はミシン目である。
【００２０】
展開片３５は、ほぼ長方形であり、第一自由端３６、第二自由端３７、および基部３８が形成されている。第一自由端３６は第一切れ目３３を介して形成されている。第二自由端３７は第二切れ目３４を介して形成され、先端縁３１に向けて凸弧状に湾曲している。基部３８は先端部１１に連ねられて折り目３９が形成されている。展開片３５は各自由端３６，３７が各切れ目３３，３４から切り離され、基部３８の折り目３９が折り曲げられることで展開する。展開片３５が展開することにより装着経路３０が拡大され、一方、展開片３５が閉塞されることにより装着経路３０が閉塞される。
【００２１】
図２において、インソール１０の裏面は、一部に介在シート１７が接着された接着層１４が形成されていてもよい。なお、図２では、本実施形態を理解しやすくするために接着層１４、および各介在シート１７が誇張されて厚く描かれている。
【００２２】
接着層１４は、先端部１１の近傍および後端部１３の近傍に形成されている。詳説すれば、接着層１４は帯状であり、先端部１１と中央部１２との境界に形成された先端接着層１５、および後端部１３と中央部１２との境界に形成された後端接着層１６から構成されている。先端接着層１５の位置は、着用者の足の裏の指の付け根近傍に相当し、一方、後端接着層１６の位置は、踵近傍に相当する。先端接着層１５からインソール１０の先端まで、後端接着層１６とインソール１０の後端まで、および中央部１２は接着層１４が形成されていない。各接着層１５，１６は例えばホットメルト接着剤などであり、インソール１０に塗布される。各接着層１５，１６により、インソール１０は使用時に草履３のインソール部７に接着され、使用後に剥離される。なお、接着層１４は各接着層１５，１６のいずれか一方のみから構成されていてもよい。
【００２３】
介在シート１７は、各接着層１５，１６の一部に接着されると共に、介在シート１７の一部が、この介在シート１７に折り重なる方向に折り返されて二重に重ねられている。詳説すれば、介在シート１７は先端接着層１５のうち、インソール１０の先端部１１側に接着された先端介在シート１８、および後端接着層１６のうち、インソール１０の後端部１３側に接着された後端介在シート１９から構成されている。各介在シート１８，１９は、被接着部２０、および折返し部２１から構成されている。被接着部２０は接着層１４の一部に接着されている。折返し部２１は被接着部２０側（中央部１２側）に折り返されて二重に重ねられている。各介在シート１８，１９は接着可能なものであり、素材が例えば、上質紙、中質紙、塗工紙（コーテッド紙）、微塗工紙アート紙（Ａ１）、コート紙、軽量コート紙（Ａ３・Ｂ３）微塗工紙１・２、インディアペーパー（紙）、色上質紙、ファンシーペーパー、新聞巻取り紙などである。厚みが、例えば約０．０３ｍｍから約１．０ｍｍである。したがって、各介在シート１８，１９は剥離紙と異なり、シリコン樹脂などにより形成される剥離層が存在しない。なお、場合によっては各介在シート１８，１９が折り重ねられず折返し部２１が被接着部２０からわずかに離れている状態であってもよく、また、折り返されていなくてもよい。
【００２４】
上記のとおりインソール１０が構成されている。
【００２５】
次に、本実施形態に係るインソールセット１００が収納された収納体２００についてインソール１０の作用と共に図面に基づいて説明する。
【００２６】
図５において、インソールセット入り収納体２００は、インソールセット１００と、このインソールセット１００が収納される収納容器１とから構成されている。収納容器１は縦長のほぼ直方体の箱体でありスリッパが収納されるスリッパラック（図示省略）などに収まる大きさである。収納容器１は上面および正面のほぼ半分が開口されて開口部２が形成されている。開口部２からはインソールセット１００の介在シート１７が露出している。複数のインソールセット１００は積層され、積層された方向とほぼ直交する方向に立てられた状態で収納容器１に収納されている。なお、インソールセット１００が分離されてインソール１０が単体で積層されて収納されていてもよい。
【００２７】
各インソールセット１００は、裏面の接着層１４の一部に介在シート１７が接着され、二重に重ねられて形成された被接着部２０および折返し部２１が各インソールセット１００の間に介在されている。積層された各インソールセット１００は、介在シート１７によって密着されず分離され、それぞれの表面と裏面との間に介在シート１７の厚み分の隙間が形成される。インソール１０は草履３の着用者に使用される際、介在シート１７の折返し部２１が摘まれ、開口部２を介して収納容器１から引き出される。
【００２８】
図４において、第一切れ目３３および第二切れ目３４で第一自由端３６および第二自由端３７を切り離す。基部３８の折り目３９でインソール１０の表面側に展開片３５を折り曲げて展開し、装着経路３０を拡大させる。先端縁３１から装着経路３０に鼻緒８を通し、展開片３５を元の位置に折り曲げて閉塞する。
【００２９】
草履３の内側に敷かれてインソール部７に裏面が対面させられたインソール１０は、着用者によりインソール部７に圧着され、先端接着層１５と後端接着層１６とが、着用者の足の裏の指の付け根近傍と踵近傍とでインソール部７に接着される。
【００３０】
次に、本実施形態に係るインソール１０の効果を説明する。
【００３１】
上記したとおり、本実施形態によれば、先端部１１は、先端縁３１に形成された切れ目によって、草履３の鼻緒８が通される装着経路３０が形成されている。第一切れ目３３は、先端縁３１から鼻緒８が接触する終端３２に掛けて一筋に形成されている。第二切れ目３４、第一切れ目３３の終端３２と交差している。第一切れ目３３と第二切れ目３４とから一対の展開片３５が形成されている。この構成により、第一切れ目３３および第二切れ目３４で第一自由端３６および第二自由端３７が切り離され、基部３８の折り目３９でインソール１０の表面側に展開片３５が折り曲げられて展開され、先端縁１１から装着経路３０に鼻緒８が通される。したがって、鼻緒８がついた草履３の内側に敷くことができる。
【００３２】
上記の構成により、インソール１０は、展開片３５が折り曲げられて展開され、装着経路３０が拡大する。したがって、インソール１０を草履３に敷きやすくすることができる。また、インソールを敷いた後は閉塞した展開片３５により着用者の足の裏と草履３のインソール部７との接触が絶たれて衛生を保障することができる。
【００３３】
また、展開片３５により、装着経路３０が拡大された状態と閉塞された状態のいずれかに変化するので、展開片３５が展開されない状態でスリッパやサンダルなど鼻緒８が付いていない履物の内側に敷かれる。したがって、状態着用者の足の裏と履物のインソール部との接触が絶たれて衛生を保障することができる。
【００３４】
さらに、上記の構成により展開片３５が切り離されずに先端部１１に残る。したがって、ゴミとして残らない。
【００３５】
本実施形態によれば、第二切れ目３４は先端縁３１に向けて凸弧状に湾曲して形成され、これによって第二自由端３７が先端縁３１に向けて凸弧状に湾曲している。この構成により、展開片３５の終端３２側が丸みを帯びるため、展開片３５が着用者の足の指の間に接触する際、負担が掛り難い。したがって、着用者が快適に使用することができる。
【００３６】
本実施形態によれば、二枚のインソール１０が幅方向に連ねられ、先端部１１と後端部１３とが互いに逆さまである。この構成によれば、草履３の着用者が必要とする二枚のインソール１０を一度に摘み上げることができる。
【００３７】
本実施形態によれば、先端部１１と中央部１２との境界に先端接着層１５が形成され、後端部１３と中央部１２との境界に後端接着層１６が形成されている。各接着層１５，１６は、先端介在シート１８が先端接着層１５のうち、インソール１０の先端部１１側に接着され、後端介在シート１９が後端接着層１６のうち、インソール１０の後端部１３側に接着されている。各介在シート１８，１９は、被接着部２０、および折返し部２１から構成され、被接着部２０が各接着層１５，１６の一部に接着され、折返し部２１が被接着部２０側（中央部１２側）に折り返されて二重に重ねられている。
【００３８】
この構成によれば、未使用時に積層された各インソール１０（インソールセット１００）は各介在シート１８，１９によって密着されず分離され、それぞれの表面と裏面との間に各介在シート１８，１９の厚み分の隙間が形成される。したがって、互いを接着させずに積層することができる。
【００３９】
また、接着層１４は、先端接着層１５の位置が、着用者の足の裏の指の付け根近傍に相当し、一方、後端接着層１６の位置が、踵近傍に相当する。この構成によれば、インソール１０は、着用者の足の裏と最もよく密着される部分に各接着層１５，１６が形成され、接着層１４の範囲が最小限である。したがって、草履３のインソール部７と十分に接着させつつ、接着層１４を安価に形成することができる。
【００４０】
また、各介在シート１８，１９は、被接着部２０が各接着層１５，１６の一部に接着されているため、この構成により、各接着層１５，１６に各介在シート１８，１９が接着されていない区域が形成されている。したがって、インソール１０から各介在シート１８，１９を剥離せずに草履３のインソール部７に接着することができる。
【００４１】
本実施形態によれば、各介在シート１８，１９は接着可能なものであり、素材が例えば、上質紙、中質紙、塗工紙（コーテッド紙）、微塗工紙アート紙（Ａ１）、コート紙、軽量コート紙（Ａ３・Ｂ３）微塗工紙１・２、インディアペーパー（紙）、色上質紙、ファンシーペーパー、新聞巻取り紙などである。厚みが、例えば約０．０３ｍｍから約１．０ｍｍである。この構成によれば、各介在シート１８，１９は剥離紙と異なり、シリコン樹脂などにより形成される剥離層が存在しない。したがって、剥離層に用いられるシリコン樹脂などが不要であるため、安価である。
【００４２】
本実施形態によれば、各介在シート１８，１９が、被接着部２０、および折返し部２１から構成されている。被接着部２０は接着層１４の一部に接着され、また、折返し部２１は被接着部２０側（中央部１２側）に折り返されて二重に重ねられている。この構成によれば、各介在シート１８，１９が二重に折り重ねられて厚みが増すため、積層されたインソール１０は各介在シート１８，１９によってさらに密着されず分離される。したがって、互いを接着させずに積層することができる。
【００４３】
また、各介在シート１８，１９が折り返されて折返し部２１が形成されているため、折返し部２１が摘み易い。したがって、積層されたインソール１０を容易に摘み上げることができ、開口部２を介して収納容器１から容易に引き出すことができる。
【００４４】
本実施形態によれば、各インソールセット１００が積層され、積層された方向とほぼ直交する方向に立てられた状態で収納容器１に収納されている。各インソールセット１００は、裏面の接着層１４の一部に介在シート１７が接着され、二重に重ねられて形成された被接着部２０および折返し部２１が各インソールセット１００の間に介在されている。積層された各インソールセット１００は、介在シート１７によって密着されず分離され、それぞれの表面と裏面との間に介在シート１７の厚み分の隙間が形成される。この構成によれば、積層されたインソールセット１００に作用する重力が積層面にほぼ平行な方向に大きく、積層方向に小さいため、各インソールセット１００が密着しない。したがって、互いを接着させずに積層することができる。
【００４５】
本実施形態によれば、先端接着層１５からインソール１０の先端まで、後端接着層１６とインソール１０の後端まで、および中央部は接着層１４が形成されていない。この構成により、インソール１０は、草履３との間の一部が接着され、つま先側４、中央６、および踵側５との間が接着されていない。したがって、使用後にインソール１０を容易に剥離することができる。
【００４６】
本実施形態によれば、インソールセット１００入り収納体２００は、インソールセット１００が収納されたほぼ直方体の収納容器１であり、正面のほぼ半分が開口されて介在シート１７を露出させた開口部２が形成されている。この構成によれば、収納容器１の底面側をスリッパラックなどに載置させて収納体２００が立たせられる。したがって、収納されたインソールセット１００を立たせて互いに密着させず、接着させずに積層することができる。また、開口部２から露出された介在シート１７が摘みやすく、開口部２を介して収納容器１からインソールセット１００を容易に引き出すことができる。
【００４７】
なお、上記した各接着層１５，１６はいずれか一方のみが形成されていても、各インソール１０を十分に接着させることができる。また、各介在シート１８，１９が二重に折り重ねられなくても積層されたインソール１０が密着されず分離され、互いを接着させずに積層することができる。
【００４８】
しかし、剥離紙はシリコン樹脂などが用いられているため、通常の紙よりも高価であり、また、剥離された後に不要となる。したがって、剥離紙が用いられるとインソールが高価となり、剥離紙が剥離された後にゴミとして残る。
【００４９】
一方で、インソールの接着層に剥離紙が貼りつけられていない場合、積層された各インソールが接着され、剥がす際にインソールが破けて使えなくなる場合がある。
【００５０】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５１】
１                  収納容器（箱体）
２                  開口部
３                  草履（履物）
４                  つま先側
５                  踵側
６                  中央
７                  インソール部
８                  鼻緒
１０                インソール
１１                先端部
１２                中央部
１３                後端部
１４                接着層
１５                先端接着層
１６                後端接着層
１７                介在シート
１８                先端介在シート
１９                後端介在シート
２０                被接着部
２１                折返し部
３０                装着経路
３１                先端縁
３２                終端
３３                第一切れ目
３４                第二切れ目
３５                展開片
３６                第一自由端
３７                第二自由端
３８                基部
３９                折り目
１００              インソールセット
２００              インソールセット入り収納体
【図１】
0005854388.tif 000002
【図２】
0005854388.tif 000003
【図３】
0005854388.tif 000004
【図４】
0005854388.tif 000005
【図５】
0005854388.tif 000006